(57)【要約】      （修正有）【課題】高感度の受信と、受信中の表示という相反する目的を実現することにある。【解決手段】 電波時計のシステムを制御する制御部４と、該制御部４の制御信号に応答して表示装置８の液晶駆動信号を作成する表示駆動部２と、該液晶駆動信号に応答して時刻を表示する表示装置８と、前記標準時刻信号を受信する受信部６とによって構成され、該受信部６に受信する前記標準時刻信号の電界強度によって設定レベルが変動する受信信号の増幅率を決定する電界強度設定手段と、該電界強度設定手段の状態を維持させる維持手段とを有し、前記標準時刻信号受信中において該維持手段を作動させ、前記電界強度設定手段の設定内容を維持している時に前記表示装置８の駆動出力を変更する。【選択図】図２
2008215929.tif 000002
【特許請求の範囲】
【請求項１】
標準時刻信号を受信して該標準時刻信号に従って表示時刻を修正する電波時計において、
該電波時計のシステムを制御する制御部と、
該制御部の制御信号に応答して表示装置の駆動信号を作成する表示駆動部と、
該駆動信号に応答して時刻を表示する表示装置と、
前記標準時刻信号を受信する受信部とによって構成され、  
該受信部に
受信する前記標準時刻信号の電界強度によって設定レベルが変動する受信信号の増幅率や波形判別レベルの閾値を決定する電界強度設定手段と
該電界強度設定手段の設定内容を維持させる維持手段とを有し、
前記標準時刻信号受信中において該維持手段を作動させ、前記電界強度設定手段の設定内容を維持している時に前記表示装置の駆動信号を変更する
ことを特徴とする電波時計。
【請求項２】
前記表示装置が液晶表示装置であることを特徴とする請求項１記載の電波時計。
【請求項３】
前記標準時刻信号受信部は前記受信した標準時刻信号をサンプリングする手段を有し、
前記液晶表示装置の駆動信号の電位が変化するタイミングと該サンプリングのタイミングとを異ならせたことを特徴とする請求項１もしくは２に記載の記載の電波時計。
【請求項４】
前記標準時刻信号受信中は、前記表示装置の駆動方式をスタティック駆動とした
ことを特徴とする請求項１、２、３のうちの少なくとも一項に記載の電波時計。
【請求項５】
前記表示装置は共通電極である行電極と列電極を有して該両電極の交点の領域の点灯消灯を制御するよう構成され、
前記駆動方式をスタティック駆動とした時には
該行電極と消灯する前記領域の前記列電極にはほぼ同一の電位を与え、
点灯する前記領域の前記列電極には異なる電位を与える
ことを特徴とする請求項４記載の電波時計。
【請求項６】
前記表示装置の駆動信号の電位切り替え周期は前記標準時刻信号の１ビット分の時間の整数倍の長さであることを特徴とする請求項１〜５のうちの少なくとも１項に記載の電波時計。
【請求項７】
前記標準時刻信号の００秒位置を検出する分同期検出後、
前記標準時刻信号中の各タイムコード復調後のレベルが同一である区間に前記表示装置の駆動信号を切り換えることを特徴とする請求項６に記載の電波時計。  
【請求項８】
前記標準時刻信号によって前記電波時計の０秒の単位を同期させている秒同期期間は、該秒同期タイミングからの経過時間が0.8〜1.0秒の間に前記表示装置の駆動信号を切り替えることを特徴とする請求項７に記載の電波時計。
【請求項９】
前記秒同期検出期間において、前記液晶駆動信号の電位変化タイミング
は所定期間同期検出後、秒同期位置が検出できなかった場合、前記液晶駆動信号の電位変化タイミングを整数秒以外の間隔で一定時間ずらすことを特徴とする請求項８記載の電波時計。
【請求項１０】
前記液晶表示装置は共通電極である行電極と列電極を有して該両電極の交点の領域の点
灯消灯を制御するよう構成され、
前記駆動方式をスタティック駆動とした時には
該行電極と消灯する前記領域の前記列電極にはほぼ一定の１／２バイアス電位を与え、
点灯する前記領域の前記列電極には異なるバイアス値の周期信号を与える
ことを特徴とする請求項４記載の電波時計。
【請求項１１】
前記表示駆動部に２倍昇圧回路を設け、
前記サンプリング手段が作動中は該２倍昇圧回路を作動させ、前記表示装置の駆動部に供給した
ことを特徴とする請求項１０記載の電波時計。
【請求項１２】
前記サンプリング手段は受信中には前記受信信号を周期的にサンプリングし、
前記受信信号のサンプリング後に前記駆動信号の電位を異ならせることを特徴とする請求項３記載の電波時計。
【請求項１３】
前記サンプリング手段は受信中には前記受信信号を周期的にサンプリングし、
前記駆動信号の電位変化タイミングは前記受信信号のサンプリング周期の前半とした
ことを特徴とする請求項１２記載の電波時計。
【請求項１４】
前記駆動信号の電位変化タイミングを前記維持手段が維持させている期間とし、
前記サンプリング手段のサンプリングタイミングを前記維持手段が作動せず、前記電界強度設定手段が作動中においたことを特徴とする請求項１２記載の電波時計。
【請求項１５】
前記駆動信号の電位変化タイミングを前記維持手段が前記電界強度設定手段を維持させている期間とし、
前記維持手段が作動を維持したタイミングは前記サンプリング手段のサンプリングタイミングに同期させたことを特徴とする請求項１２記載の電波時計。
【請求項１６】
前記表示装置の駆動方法はダイナミック駆動であることことを特徴とする請求項１２記載の電波時計。
【請求項１７】
前記ダイナミック駆動の1フレームは32mS以下であることを特徴とする請求項１６記載の電波時計。
【請求項１８】
前記液晶表示装置を前記制御部によって制御できる液晶ドライバーによって駆動した
ことを特徴とする請求項３記載の電波時計。
【請求項１９】
前記制御部がマイクロコンピュータであり、
前記制御の方法は該マイクロコンピュータからのコマンド入力である
ことを特徴とする請求項１８記載の電波時計。
【請求項２０】
前記制御の方法は前記表示駆動部への駆動信号作成用クロックの供給、停止である
ことを特徴とする請求項１８記載の電波時計。
【請求項２１】
前記維持手段の信号に同期して前記表示装置の駆動方式を異ならせた
ことを特徴とする請求項１８記載の電波時計。
【請求項２２】
標準時刻信号を受信して該標準時刻信号に従って表示時刻を修正する電波時計において、
該電波時計のシステムを制御する制御部と、
該制御部の制御信号に応答して表示装置の駆動信号を作成する表示駆動部と、
該駆動信号に応答して時刻をディジタル的に表示する表示装置と、
前記標準時刻信号を受信する受信部とによって構成され、  
受信中は駆動信号の全電位を同一電位としたことを特徴とする電波時計。
【請求項２３】
標準時刻信号を受信して該標準時刻信号に従って表示時刻を修正する電波時計において、
該電波時計のシステムを制御する制御部と、
前記標準時刻信号を受信する受信部とによって構成され、  
該受信部に、
受信する前記標準時刻信号の電界強度によって設定レベルが変動する受信信号の増幅率や波形判別レベルの閾値を決定する電界強度設定手段と、
該電界強度設定手段の設定内容を維持させる維持手段とを有し、
前記標準時刻信号中の各タイムコードによって前記標準時刻信号の振幅変調が変動する区間においては、前記維持手段が前記電界強度設定手段を維持し、
前記標準時刻信号の振幅変調が変動しない区間においては、前記維持手段が前記電界強度設定手段を維持しない
ことを特徴とする電波時計。
【発明の詳細な説明】
【技術分野】
【０００１】
本発明は、標準時刻信号を受信して保持時刻を修正する電波時計に関する。
【背景技術】
【０００２】
電波時計において、表示デバイスであるモータや液晶表示装置（以下ＬＣＤと略記する）はノイズ源となるため、電波受信中の表示はかなり困難なものであった。
【０００３】
図３２は従来の電波時計の問題点を説明するブロック図である。
【０００４】
図３２の電波時計において、アンテナ１０８が標準時刻信号を受信し、受信部１０４に送る。制御部１００は受信部１０４に受信タイミング等を制御する制御信号１２０を送るとともに、受信部１０４から受信信号１１８を受け取り、制御部が保持している時刻データを修正する。制御部１００はまた表示駆動部１０２に駆動クロック１１４と制御信号１１６を送り表示器を駆動する駆動信号の作成を指示する。表示器１０６がＬＣＤの場合、表示器１０６は表示駆動部１０２から列電極駆動信号ＳＥＧ１１０，と行電極駆動信号ＣＯＭ１１２を受け取りＬＣＤに印加する。
【０００５】
問題となるのはノイズで、制御部１００から表示駆動部１０２に信号や駆動クロック１１４を送ることによって生じるノイズ１３０，表示駆動部１０２が駆動信号を表示器１０６に送ることによって生じるノイズ１２８，表示器１０６が駆動されることによって生じるノイズ１２６等があり、これらのノイズがアンテナ１０８に影響を及ぼして標準時刻信号１２４の受信を困難にする。
【０００６】
なお以下の図において、同様の部材には同様の番号を付して説明を省略している。
【０００７】
この問題を解決するため、受信中はＬＣＤを停止することで、受信中のＬＣＤノイズを排除するという提案がなされている（例えば特許文献１  図５参照）。
【０００８】
しかしこの技術では、受信中にＬＣＤ表示が消えてしまうために、少なくとも２分、通常は５〜６分ＬＣＤの表示が消えてしまい、時計としての機能発揮に不十分なものとなっていた。
【０００９】
また標準時刻信号を受信して正秒に同期させる秒同期以前は、ＬＣＤ表示を０．１秒単位でランダムにずらしながら点滅表示を行うことで秒同期を取りやすくし、秒同期以降（分同期から標準時刻データ取得まで)は、受信データ判定に不要な０．８秒〜１．０秒間表示するという提案もあった（例えば特許文献２  図９参照）。
【００１０】
しかしこの技術では、ＬＣＤ表示部で点滅表示しか出来ず、表示上の制約が大きいという問題があった。
【００１１】
特に、最近の受信回路は外装の金属化に伴い受信感度が向上しているが、逆にノイズに対しては弱くなってきており、  特許文献２の方法では、秒同期の時点で受信が不可能になりつつある。
【００１２】
ここでタイムコードについて説明をしておく。
【００１３】
図３３は各国のタイムコードを説明するタイミングチャートである。
【００１４】
標準時刻信号は１ビットが１秒で送られてくるが、各ビット毎に（復調後には）図３３に示したコードとなっている。
【００１５】
すなわち、図示したように、米国、日本、ドイツ、スイスで波形は異なるものの、コード「０」、「１」、「Ｐ」でそれぞれ決まった波形をとることになっている。（ドイツの場合、「Ｍ」コードと呼ばれるが、「Ｐ」と同じ役割を担うものなので、以降も便宜上「Ｐ」と称する。）また各国のタイムコードによって各ビットの始まり時点を知ることが出来る。例えば米国コードではタイムコードが立ち下がった時であり、日本コードではタイムコードが立ち上がった時点である。各ビットの始まり時点が正秒であるから、このポイントを検出することによって時計の保持時刻を正秒に合わせ込むことが出来る。すなわち図示した「秒同期タイミング」が各ビットの始まり時点であり、すなわち正秒である。
【００１６】
また、秒同期位置の検出が確定することによって標準時刻信号の送信コード（０、１、Ｐ）判別が出来、コード判別によって判明した送信コード（0、1、P）の並びによって標準時刻信号の分同期位置（0秒タイミング）を認識でき、分同期位置を認識することによって標準時刻信号から送られてくる送信コード（0、1、P）の重み付け（時のデータ、分データ、年データ、曜日データ、パリティ、十桁、一桁、０ｂｉｔ、１ｂｉｔ、２ｂｉｔ、３ｂｉｔなど）を認識出来ることによって標準時刻を読み取ることが出来る。
【００１７】
ここで受信時の動作についての説明を行っておく。
【００１８】
図３４は受信時の動作の流れを示すフローチャートである。
【００１９】
図３４において、電波時計に受信するよう指示があると、１４０のステップで受信ＩＣの電源がＯＮにされる。次の段階１４２で「秒同期検出」が行われる。秒同期検出は１秒に１ビット送られているタイムコードの先頭のタイミングを検出する動作すなわち正秒を検出する動作で、例えば米国のコードではタイムコードが立ち下がるタイミング、日本のコードではタイムコードが立ち上がるタイミングと一致している。この秒同期タイミングは例えば３２Ｈｚでタイムコードの変動を所定期間サンプリングし、各サンプリングポイントで最も秒同期タイミングが発生する又は所定回数以上、秒同期タイミングが発生したポイント（米国のコードではタイムコードが立ち下がるタイミング、日本のコードではタイムコードが立ち上がるタイミングが多く発生したタイミング）を検出することによって秒同期タイミングが決定される。
この段階で秒同期タイミングが所定回数、同一箇所で検出されないなど、秒同期タイミングが決定できない場合は受信NGとなる。
【００２０】
秒同期タイミング決定後「分同期検出」１４４の段階に移る。分同期検出は秒の桁が００秒である正分のタイミングを検出する動作で、Ｐコードが２回連続したことを知ることで検出することが出来る。
【００２１】
秒同期と分同期が検出されるとタイムコードから時刻情報を読み取る「データ取得照合」の段階１４６に移る。この段階１４６で妥当でない情報等を排除して時刻情報を時計内に取り込む。
【００２２】
以上のステップが終了すると１４８のステップで受信ＩＣの電源がＯＦＦされ、時計の保持している時刻情報が検出された時刻情報に置き換えられて時刻修正がなされる。
【００２３】
なお正秒のタイミングを秒同期位置、正分のタイミングを分同期位置と呼ぶことも一般的であり、以降この呼称は定義無く使用する。
【００２４】
また電波時計の各種制御等に関しては特許文献３，４に詳述されており、以下の説明においては該特許文献３，４の記載を引用する。
【特許文献１】特開２００１−２７６８１号公報（図5）
【特許文献２】特開２００４−９３３７５号公報（図９）
【特許文献３】特開平１１−３０４９７３号公報（図4）
【特許文献４】特開２００３−２２２６８７号公報（図９、図１３）
【発明の開示】
【発明が解決しようとする課題】
【００２５】
上述の如く、従来の電波時計では標準時刻信号受信中の表示制約が大きく、時計としての表示が不十分であった。
【００２６】
また表示駆動信号に起因するノイズのため標準時刻信号の受信が困難になってきている。
【００２７】
そこで本発明の目的は、高感度の受信と、受信中の表示という相反する目的を実現することにある。
【課題を解決するための手段】
【００２８】
本発明による電波時計は、
該電波時計のシステムを制御する制御部と、
該制御部の制御信号に応答して表示装置の駆動信号を作成する表示駆動部と、
該駆動信号に応答して時刻を表示する表示装置と、
前記標準時刻信号を受信する受信部とによって構成され、  
該受信部に
受信する前記標準時刻信号の電界強度によって設定レベルが変動する受信信号の増幅率や波形判別レベルの閾値を決定する電界強度設定手段と
該電界強度設定手段の設定内容を維持させる維持手段とを有し、
前記標準時刻信号受信中において該維持手段を作動させ、前記」電界強度設定手段の設定内容を維持している時に前記表示装置の駆動信号を変更する
ことを特徴とする。
【００２９】
また、本発明による電波時計は、
該電波時計のシステムを制御する制御部と、
該制御部の制御信号に応答して表示装置の駆動信号を作成する表示駆動部と、
該駆動信号に応答して時刻をディジタル的に表示する表示装置と、
前記標準時刻信号を受信する受信部とによって構成され、  
受信中は駆動信号の全電位を同一電位としたことを特徴とする。
【００３０】
さらに、標準時刻信号を受信して該標準時刻信号に従って表示時刻を修正する電波時計において、
該電波時計のシステムを制御する制御部と、
前記標準時刻信号を受信する受信部とによって構成され、  
該受信部に、
受信する前記標準時刻信号の電界強度によって設定レベルが変動する受信信号の増幅
率や波形判別レベルの閾値を決定する電界強度設定手段と、
該電界強度設定手段の設定内容を維持させる維持手段とを有し、
前記標準時刻信号中の各タイムコードによって前記標準時刻信号の振幅変調が変動する区間においては、    前記維持手段が前記電界強度設定手段を維持し、
前記標準時刻信号の振幅変調が変動しない区間においては、前記維持手段が前記電界強度設定手段を維持しないことを特徴とする。
【発明の効果】
【００３１】
電波時計などの受信感度は表示駆動などの発生するノイズによって標準電波の受信感度が低下するのは受信回路の電界強度によって設定レベルが変動する受信信号の増幅率や波形判別レベルの閾値がノイズによって大きく変動する為である。
表示駆動によって発生するノイズは表示部に印加されている電位の切り替え時のみに発生しており、本発明では表示部の電位を変動する前後で電界強度によって設定レベルが変動する受信信号の増幅率や波形判別レベルの閾値を維持する維持手段を作動させることによって、表示駆動によって発生するノイズの影響を受けず、表示動作が可能となる。
表示駆動によって発生するノイズは表示部に印加されている電位の切り替え時のみに発生しており、本発明では表示部の全電位を同一電位とすることによってノイズの発生を抑え、表示部の全電位を固定することによって外乱からの影響で表示が乱れることはない。
各タイムコードによって前記標準時刻信号の振幅変調が変動する区間において電界強度によって設定レベルが変動する受信信号の増幅率や波形判別レベルの閾値を維持する維持手段を作動させることによって各タイムコードの違いによって設定レベルが変動する受信信号の増幅率や波形判別レベルの閾値の変動を抑えることが出来、標準時刻信号の時刻情報差による受信感度差をなくすことが出来る。
【発明を実施するための最良の形態】
【００３２】
以下実施例に基づいて本発明の説明を行う。
【実施例１】
【００３３】
以下実施例に基づいて本発明の説明を行う。
【００３４】
図２は本発明の電波時計の実施例を示す第１のブロック図である。
【００３５】
図２の電波時計において、受信部６が標準時刻信号を受信し、制御部４に送る。制御部４は受信部６に受信タイミング等を制御する制御信号を送るとともに、受信部６から標準時刻情報を受け取り、制御部４が保持している時刻データを修正する。制御部４はまた表示駆動部２に駆動クロック信号と制御信号を送り表示装置８を駆動する駆動信号の作成を指示する。時計用の表示装置としては、消費電力の点からＬＣＤを用いることが望ましい。
【００３６】
また以下の説明で表示装置としてはＬＣＤを用いた例で本発明を説明するが、駆動信号の電位変化によってノイズを発生するような表示装置を用いた場合は本発明が有効であることは勿論である。
【００３７】
表示駆動部２は表示装置８の駆動信号が必要とする各種の電位レベルを作る電源回路を有することは勿論であるが、さらに２倍昇圧回路１２を有する。
【００３８】
２倍昇圧回路１２は表示動作を図１、6記載のVDD、V1、V２、V3（VDD−Ｖ１、Ｖ１−Ｖ2、Ｖ2−Ｖ3間の電位差はほぼ等しい。）を用いたダイナミック駆動と図２８記載のVDD、V２、V3Vup２（VDD−Ｖ2、Ｖ2−Ｖ3Vup２間の電位差はほぼ等しい。）を用いたスタティック駆動を切り替え可能な表示駆動を行う表示機能に用いられ、２倍昇圧回路１２は図２
８記載のVDD、V２、V3Vup２（VDD−Ｖ2、Ｖ2−Ｖ3Vup２間の電位差はほぼ等しい。）を用いたスタティック駆動を切り替え可能な表示駆動を行う時にV2を２倍昇圧してＶ3の電位をＶ3Vup２にして駆動を行うことによって、受信中もしくはサンプリング手段１０が作動中にはダイナミック駆動時とは異なる電位レベルの駆動信号で表示装置８を、例えばＬＣＤを、駆動し駆動マージンを高めることが出来る。
【００３９】
ここで制御部４は例えばマイクロコンピューターで構成されており、マイクロコンピュータのコマンド入力によって各部が制御されている。
【００４０】
また表示装置がＬＣＤの場合、表示駆動部２は制御部４によって制御できる液晶ドライバーを用いている。
【００４１】
制御部４が表示駆動部２を制御する方法の１つは表示駆動部２への駆動信号作成用クロックの供給、停止がある。駆動信号作成用クロックの供給を停止することにより発生するノイズを低減することが出来る。
【００４２】
図３は本発明の実施例を示す第２のブロック図で、図２における制御部と受信部６とを詳述したものである。
【００４３】
図３において、受信部６はアンテナ１４、増幅手段１８，復調手段２０，判定手段２４，サンプリング手段１０、電界強度設定手段１６，維持手段２２を有しており、アンテナ１４で受信した標準時刻信号を増幅手段１８で増幅し、復調手段２０で復調し、判定手段２４で内容を判定し、サンプリング手段１０でサンプリングすることにより標準時刻情報として取り出している。なおこのサンプリング手段１０は制御部４に置かれているものとしても問題はない。
【００４４】
電界強度設定手段（以下ＡＧＣと略記する）１６はアンテナ１４が受信した増幅レベルを決定する電圧を（以下ＡＧＣ電圧と略記する）増幅手段１８に送って増幅率を決定する。またＡＧＣ電圧は後述する復調手段２０の信号及び維持手段２２の信号によって制御される。
【００４５】
維持手段２２は制御部４からの信号を受けて、ＨＯＬＤ信号を増幅手段１８と判定手段２４に送り、ＡＧＣ電圧と後述する判定手段２４で用いる波形判定レベルの閾値とを維持（ＨＯＬＤ）させる。
【００４６】
すなわち波形判定レベルの閾値が一定範囲内にある場合はＡＧＣ電圧を変動させないが、復調手段２０の電圧レベルが足りない場合は信号の増幅レベルをＵＰ方向に、復調手段２０の電圧レベルが大きすぎる場合は信号の増幅レベルをＤＯＷＮ方向にして復調手段２０の出力レベルを一定範囲内に押さえることによって安定的な受信を行えるようにしている。また該ＨＯＬＤ状態の時のみ表示装置８の駆動信号の電位が変化するよう制御部４が表示駆動部２を制御している。
【００４７】
つまり、維持手段２２から出力されるＨＯＬＤ信号をＨ（ＨＯＬＤ状態）にすることによってＡＧＣ電圧と波形判定レベルの閾値を維持し（入力された電波の強度に依存して変動しない）、ＨＯＬＤ信号をＬ（非ＨＯＬＤ状態）にすることによってＡＧＣ電圧と波形判定レベルの閾値を維持しない（入力された電波の強度に依存して変動することによって電界強度に追従した値に設定できる。）。
【００４８】
この機能のためＡＧＣ電圧と波形判定レベルの閾値とがＨＯＬＤ状態となって安定している時のみ、図３２に示した駆動信号に起因するノイズが発生することとなり、受信を安
定化させている。
【００４９】
制御部４は時計の計時機能を有するとともに他の各ブロックを制御する機能を持つ。
図５は復調手段２０のアンテナ１４入力で受信した波形が増幅手段１８によって増幅された波形を復調する動作を説明する波形図であり、図５中の検出タイミングは増幅手段１８から出力される信号の周期に同期し、図５に示すように増幅手段１８の出力波形のほぼ最大値に近い部分のみサンプリングすることにより、図５に示すような復調波形となる。
【００５０】
図６は電界強度設定手段１６の実施例を示す回路図である。
【００５１】
図６において、電界強度設定手段１６は差動アンプ６０，６８，入力７０，抵抗６４，コンデンサー６６，スイッチ手段６２を有し、差動アンプ６０の＋入力７０には復調手段２０からの信号が印加されてインピーダンス変換され、差動アンプ６０の出力を抵抗６４とコンデンサー６６とからなるＣＲ回路で平滑化して差動アンプ６８に送り、差動アンプ６８の出力がＡＧＣ電圧として増幅手段１８に送られる。
【００５２】
電界強度設定手段１６は維持手段２２から送られてくるＨＯＬＤ信号がHになることによってスイッチ手段６２のインピーダンスが高くなり、抵抗６４への電荷の出入りがなくなり、復調手段２０が大きく変動してもコンデンサー６６の電位は変動しないため、ＡＧＣ電圧７２は影響を受けない。（ノイズに対して影響を受けない）
また、維持手段２２から送られてくるＨＯＬＤ信号がLになることによってスイッチ手段６２のインピーダンスが低くなり、抵抗６４とコンデンサー６６の時定数に従って電荷の出入りが出来るようになり、復調手段２０の電位変動に追従してコンデンサー６６の電位も変動するため、ＡＧＣ電圧７２は受信した電波の電界強度に追従できる。
このため、ＨＯＬＤ信号がHになることによってＡＧＣ電圧７２の更新を禁止してホールド状態となる。
【００５３】
図４は本発明の実施例を示す第３のブロック図で、図３における判定手段２４を詳述したものである。
【００５４】
判定手段２４は差動アンプ３０，３２，抵抗３４，コンデンサー３６，スイッチ手段３８を有し、差動アンプ３２の出力を抵抗３４とコンデンサー３６とからなるＣＲ回路で平滑化して波形判定レベルの閾値として差動アンプ３０に送る。差動アンプ３０は該閾値と復調手段２０から送られてくる復調信号とを比較して受信した信号の論理レベルを判定し標準時刻信号を出力する。
【００５５】
スイッチ手段３８は維持手段２２から送られてくるＨＯＬＤ信号がHになることによって波形判定レベルの閾値の更新を禁止してホールド状態とする。該ＨＯＬＤ信号の機能はノイズが発生した時の影響を低減し、受信を安定化させている。
【００５６】
つぎに本発明と標準時刻信号の概要を図７，８，９のタイミングチャートを用いて説明する。
【００５７】
図７は本発明による電波時計の概要を説明する第１のタイミングチャートである。
【００５８】
図７は１日の長さにわたって電波時計の制御法を示したものであるが、例えば午前２時というようなタイミングｔＳで標準時刻信号の受信が始まり、該受信動作はタイミングｔＥまで続く。この間受信していないＴ２０，Ｔ２２の期間には表示装置をＡの駆動方法で駆動し、受信中であるＴ２４の期間には表示装置をＢの駆動方法で駆動している。駆動方法Ａの例としては例えば３２Ｈｚ程度のフレーム周波数で３分割駆動する通常のダイナミ
ック駆動方法があり、駆動方法Ｂの例としては後述するスタティック駆動方法、周期を２秒程度としたのスタティック駆動方法、全電極の電位を一定にした駆動方法等がある。
【００５９】
このような駆動方法の変更は受信期間をはさんで繰り返される。
【００６０】
なお標準時刻信号の受信は１日１回でも、１日数回でも、数日に１回でも良い。
【００６１】
図８は本発明による電波時計の概要を説明する第２のタイミングチャートで、図７のタイミングチャートの時間軸を拡大した図である。
【００６２】
「標準時刻信号」は特許文献４の図７，１３に例が示されている如く、周期が１分の信号となっており、１日中発信されている。
【００６３】
電波時計それぞれがこの「標準時刻信号」を受信するタイミングを定めており、図８ではＴ２４の期間に受信する例を示している。
【００６４】
受信した「標準時刻信号」の先頭が正しい００秒のタイミングであり、「分同期タイミング」はこの「標準時刻信号」の先頭である。電波時計は分同期タイミングで正しい００秒のタイミングを知ることができる。
【００６５】
「標準時刻信号」から正分が検出出来ることは特許文献３の−０００５−、特許文献４の−０００４−に詳述されている。
【００６６】
図９は本発明による電波時計の概要を説明する第３のタイミングチャートで、図８のタイミングチャートの時間軸をさらに拡大した図である。
【００６７】
「標準時刻信号」は１ビットを１秒で送っており、各ビットの先頭が正秒のタイミングである。電波時計は「秒同期タイミング」で正しく正秒のタイミングを知ることができ、これにより標準電波から送信されている０，１，Ｐのコードを判別することが出来る。  たとえば「分同期タイミング」の検出にあわせて（図示されていない）秒未満のカウンタをリセットすれば秒未満の桁まで時計の計時時刻を合わせ込むことが出来る。
ダイナミック駆動の説明
次にタイミングチャートを用いて本発明の電波時計の動作を説明する。
【００６８】
図１は本発明の実施例を示すタイミングチャートである。
【００６９】
図１において「ＣＯＭ１」、「ＣＯＭ２」、「ＣＯＭ３」は液晶表示装置を３分割ダイナミック駆動する行電極駆動信号を示し、「ＳＥＧ選択（ＣＯＭ１）」、「ＳＥＧ非選択（ＣＯＭ１）」はそれぞれＣＯＭ１に接続されるＳＥＧ電極を点灯状態／非点灯状態にする列電極駆動信号を示している。（図１に示したＳＥＧ駆動信号はＣＯＭ２，ＣＯＭ３に接続されるＳＥＧ電極を非点灯状態にする駆動信号を示している。）
時計用の液晶表示装置の場合は半導体チップの小型化の必要があるため、ダイナミック駆動することが好ましい。また駆動周期はＴ３２に示すように、消費電力、表示のフリッカーから考えて、１０００／３２と、ほぼ３２ｍｓｅｃ以下にすることが妥当である。
【００７０】
液晶駆動信号に起因するノイズは「ノイズ発生タイミング」に示すタイミングで、すなわち液晶駆動信号の電位が変化するタイミングで発生する。これは表示装置を駆動すると、主に駆動信号の電位変化によってノイズが発生することによる。
【００７１】
ＨＯＬＤ信号はＨレベルの時、図３に示したＨＯＬＤ信号が出力されていることを示し
、Ｈレベルの時ＡＧＣ電圧と波形判定レベルの閾値とを維持させる。
【００７２】
このＨＯＬＤ信号は、ノイズ発生期間中はＨレベルになるよう構成している。
【００７３】
受信するＩＣの電波信号の増幅度を受信する時の電界強度によってコントロールする機能をＡＧＣというが、ノイズなどが入ることによりＡＧＣ信号（増幅レベル）や波形判定レベルの閾値がずれてしまう。
このため、ノイズが入ることがわかっている場合はこのＡＧＣのレベルが変化しないように一定期間ＡＧＣのレベル変動を無視する機能がＡＧＣ  ＨＯＬＤである。
【００７４】
すなわち、標準時刻信号受信中においては
図３のサンプリング手段１０が図１の受信信号取得サンプリングタイミングで受信信号取得後、
図１（１）のように図３のＨＯＬＤ信号をＨレベルにして維持手段２２で電界強度設定手段の設定内容を維持し、図１（２）のように表示装置の駆動信号の電位を変更することによって図１のノイズ発生タイミングでノイズが発生する。
このノイズは維持手段２２が維持状態なので電界強度設定手段の設定内容の変動はない。次に図１（３）のようにＨＯＬＤ信号をＬレベルにして維持手段２２の維持状態を解除し、電界強度設定手段の設定内容を電界強度に追従させる。
【００７５】
従って図３等で示した判定手段２４で標準時刻信号を判定する際には駆動信号によるノイズによって瞬間的には判定結果が影響されるが、ＡＧＣ信号や波形判定レベルの閾値は維持手段によって変化しない為、後まで判定結果が乱されることはない。
駆動信号の電位が変化するように、かつこれらの同期が順を追って起きるよう構成している。
【００７６】
このように、駆動信号の電位変化タイミングを維持手段が前記電界強度設定手段を維持させている期間とし、サンプリング手段のサンプリングタイミングを維持手段が作動を維持したタイミングに同期させたことによりシステム構成を簡略化することが出来、また表示の自由度を上げることが出来た。
【００７７】
さらに、図３で示した、サンプリング手段１０で標準時刻情報２６をサンプリングするタイミング「受信信号取得タイミング」と「ノイズ発生タイミング」とを図示したように異ならせている。
【００７８】
具体的には駆動信号（ＣＯＭ１，２，３、ＳＥＧ選択、ＳＥＧ非選択）の電位が変化するタイミングをサンプリングのタイミングよりも１５マイクロｓｅｃから１秒遅らせている。
【００７９】
該遅延時間は1μS以上あれば十分と思われるが、時計のクロック周期から考えると１周期の約3１μS、半周期にした場合は約１５μSが論理回路的に作れるディレイであり、時計用マイクロコンピューターの処理周期を考えると通常マイクロコンピュータの命令処理には４クロック程度必要であるので約１２２μSとなる。これらが遅延時間のＭＩＮ．値となる。ＭＩＮ．値としてはこれらのうちどの数値を採用しても良い。
【００８０】
またＭＡＸ．値は液晶駆動上の問題から考えると、１／４デューティー駆動の場合は４ｍＳ、１／３デューティー駆動の場合は６ｍＳ以下、またタイムコードが１秒に１ビット送られてくることからは１秒以下であることが必要である。
【００８１】
また、図１では受信信号取得サンプリングタイミングは駆動信号の電位が変化する毎に
行っているが（１０００／３２ｍSｅｃ／６毎）、受信信号取得サンプリングタイミングを間引いても問題はないが、駆動信号の電位が変化する時はＨＯＬＤ信号が維持となるようにする必要がある。
【００８２】
さらに受信中には液晶駆動信号の電位変化のタイミングをずらしてサンプリング周期Ｔ３０の前半としている。
【００８３】
このようにサンプリング信号周期の前半に駆動信号の電位変化に起因するノイズが発生するように構成したことにより、たとえ、ＨＯＬＤ状態によって押さえきれないノイズが発生した場合も、次のサンプリングまでにはノイズの影響がおさまっている確率を高くしている。
【実施例２】
【００８４】
実施例２の説明の前にタイムコードとＡＧＣ信号や波形判定レベルの閾値との関係について説明をする。
【００８５】
次に標準時刻信号すなわちタイムコードの説明をする。
【００８６】
図１０はタイムコードの詳細を説明する図で、米国、日本、ドイツの３カ国のタイムコードを１ビットすなわち１秒の期間示している。
【００８７】
各国ともコード０，コード１，コードＰで決まったフォーマットの信号を送信している。実際の信号はＡＭ電波で送られてくるが、復調前の波形に関しては特許文献３の図４で説明されている。
【００８８】
米国と日本の標準時刻信号ではＴ３，Ｔ４の区間ドイツではＴ５，Ｔ６区間はタイムコード（コード０，コード１，コードＰの波形）に関係なくタイムコード（コード０，コード１，コードＰの波形）が一定しており、ドイツではＴ５，Ｔ６区間は時刻データに関係なくタイムコードが一定している。逆に表現すると米国と日本ではＴ３５の区間、ドイツではＴ３４の区間にコードの違いによる判別が出来る。
図１１はタイムコードによってＡＧＣ信号レベルや波形判定レベルの閾値が変動を示した図である。
【００８９】
前記したＡＧＣ信号レベルや波形判定レベルの閾値は復調信号の積分値であり、タイムコード（コード０，コード１，コードＰの波形）の出力によって（例えば、コード０が連続した場合とコード１が連続した場合）ではＡＧＣ信号や波形判定レベルの閾値が変動してしまい、「電界強度に増幅率が適合しない」、「波形判定レベルの閾値が復調波形の中心からずれた電位になる」などの受信感度に不利な方向になる問題がある。
【００９０】
一方、米国と日本では図１０中のＴ３とＴ４の区間、ドイツではＴ５とＴ６の区間では時刻によらずタイムコードの違いによらず、出力が一定しているため、この全区間または一部区間のみ維持手段２２のＨＬＯＤ信号を非ＨＯＬＤ状態（ＨＯＬＤ信号をＬ）、それ以外の区間をＨＯＬＤ状態（ＨＯＬＤ信号をＨ）にすることによって復調信号の平滑化を行い、ＡＧＣ信号レベルや波形判定レベルの閾値を定めることによって上記のようなタイムコードの違いによってＡＧＣ信号レベルや波形判定レベルの閾値が影響を受けない為、安定した受信が期待出来る。
また、米国と日本ではＴ３とＴ４の区間、ドイツではＴ５とＴ６の区間では復調波形がＨ、Ｌ両方あり、Ｈ区間（米国と日本ではＴ４、ドイツではＴ６）、Ｌ区間（米国と日本ではＴ3、ドイツではＴ5）の比率を変えることで電界強度に対するＡＧＣ信号や波形判定レベルの閾値を調整することが出来、この比率を受信する電波の種類によって変更すること
によって各々の電波に適合したＡＧＣ信号や波形判定レベルの閾値を調整できる。
次に実施例２について説明を行う。
【００９１】
図１２は本発明による電波時計制御の第２の実施例を示すタイミングチャートで、図１３は図１２の時間軸を拡大した部分図である。
【００９２】
図１２，１３において、コード０、コード１，コードＰは図１０に示したタイムコードと同一で、図１２，１３のＴ７が図１０のＴ４＋Ｔ３に相当する。
【００９３】
図１２に示した液晶駆動信号、ＣＯＭ１，ＣＯＭ２，ＣＯＭ３，ＳＥＧ選択、ＳＥＧ非選択はＴ８期間は通常の３分割駆動波形となっており、Ｔ７においては休止している。
【００９４】
従ってノイズはＴ８期間に発生してＴ７期間には発生しない。
【００９５】
「ＨＯＬＤ」信号はノイズが発生するＴ８期間のみホールド状態を示すＨレベルとなり駆動が休止しているＴ７期間はＬレベルとなっている。
【００９６】
すなわち、標準時刻信号中の各タイムコードがデータによって変動する区間においては、維持手段のホールド信号が電界強度設定手段の増幅率及び波形判定レベルの閾値を維持させている。
【００９７】
この結果、電界強度設定手段の増幅率及び波形判定レベルの閾値はタイムコードによって設定値が変化せず、結果として受信感度の安定化に繋がる。
【００９８】
また、受信信号取得サンプリングとＡＧＣ  ＨＯＬＤ、液晶駆動信号の電位変化タイミングはそれぞれ同期しており、液晶駆動信号の電位変化タイミングは受信信号取得サンプリングの間隔の前半であり、ＡＧＣ  ＨＯＬＤがＬからＨになるタイミングは受信信号取得サンプリングと液晶駆動信号の動作開始の間であり、ＡＧＣ  ＨＯＬＤがHからLになるタイミングは液晶駆動信号の停止タイミング以降である。
【００９９】
図１２，１３の実施例が他の実施例と大きく異なるのは、タイムコードによって依存しない出力のタイミング（米国と日本ではＴ３とＴ４の区間、ドイツではＴ５とＴ６の区間）でのみ電界強度設定手段の増幅率及び波形判定レベルの閾値を電界強度に追従させることによってタイムコードに依存しない安定した受信ができる。
【０１００】
図１４は図１２の変形例を示すタイミングチャートで、図１５は図１４の時間軸を拡大した部分図である。
【０１０１】
図１４の構成が図１２の構成と異なるのはＴ７においても３分割駆動を継続していることと、Ｔ７期間の液晶駆動信号の電位変化に起因するノイズが発生する期間はＨＯＬＤ信号を立てて（Ｈレベルにして）電界強度設定手段の増幅率及び波形判定レベルの閾値を維持させている点である。
【０１０２】
図１６は図１４の変形例を示すタイミングチャートで、図１４の受信信号サンプリングタイミングを間引いた図であり、サンプリング周期の方が液晶駆動信号の電位変化の周期よりも長い場合には図１６のように行う。
【０１０３】
このように構成すると例外なく通常の液晶駆動方法を維持出来ることで、これによりシステムをさらに大きく簡略化することが出来、また受信中の表示も通常と全く同じに出来るため大きく表示の自由度を増すことが出来た。
【実施例３】
【０１０４】
実施例１，２では表示のダイナミック駆動の場合について説明したが、次はスタティック駆動の場合について説明を行う。
本発明で用いるスタティック駆動は以下の２つ駆動方法である。
【０１０５】
図１７は本発明で用いる液晶の第１のスタティック駆動方法を説明するタイミングチャートである。
【０１０６】
図１７において、「ＣＯＭ１」、「ＣＯＭ２」、「ＣＯＭ３」は本来、液晶表示装置を３分割ダイナミック駆動する行電極駆動信号であるが、図１７の「ＣＯＭ１」、「ＣＯＭ２」、「ＣＯＭ３」はＶＤＤとＶ３の電位間をとる同一波形の矩形波としている。また点灯させるＳＥＧ電極にはＶＤＤとＶ３の電位間をとるＣＯＭ信号と逆極性の、非点灯させるＳＥＧ電極にはＶＤＤとＶ３の電位間をとるＣＯＭ信号と同極性の信号を与えている。
【０１０７】
すなわち点灯する領域の列電極には異なる電位を与えている。
このため、液晶に印加される実行電圧はＶＤＤ−Ｖ３となる。
【０１０８】
本発明の実施例１，２は、通常は液晶表示装置を３分割駆動し、標準時刻信号の受信中は時分割的に駆動休止期間を設けてノイズの発生を防ぎ、液晶はスタティック駆動するというものである。
この駆動方法の特徴としては後述の第２のスタティック駆動方法に比べて実行電圧が大きい利点がある反面、極性の切り替え時に全てのＣＯＭ、SEG線が切り替わる為、発生するノイズが大きい。
【０１０９】
図１８は液晶の第２のスタティック駆動方法を説明するタイミングチャートである。
【０１１０】
図１８において、「ＣＯＭ１」、「ＣＯＭ２」、「ＣＯＭ３」は本来液晶表示装置を３分割ダイナミック駆動する行電極駆動信号であるが、図１８の「ＣＯＭ１」、「ＣＯＭ２」、「ＣＯＭ３」はＶ２の電位に固定されており、非点灯状態の列電極に与える信号「ＳＥＧ非点灯」には同じくＶ２の電位に固定されて、非点灯とされる液晶セグメントには電圧が印加されず、点灯状態の列電極に与える信号「ＳＥＧ点灯」にはＶＤＤとＶ３Ｖｕｐ２の電位をとる矩形波信号が与えられている。該Ｖ３Ｖｕｐ２の電位は図２で述べた２倍昇圧回路１２で昇圧された電位、電源から作成された電位どちらでも良く、ＶＤＤ−Ｖ２とＶ２−Ｖ３Ｖｕｐ２とは等しい電圧となる。すなわちＶ２がＶＤＤとＶ３ｕｐ２との真ん中の電位となっている。
このため、液晶に印加される実行電圧はＶＤＤ−Ｖ２（又はＶ２−Ｖ３Ｖｕｐ２）となる。
この駆動方法の特徴としては前述の第１のスタティック駆動方法に比べて実行電圧が小さい欠点はあるものの、「ＣＯＭ１」、「ＣＯＭ２」、「ＣＯＭ３」及び非点灯セグメントからノイズが発生しないため、ノイズを小さく押さえ受信をより安定化することが出来る。
【０１１１】
すなわちこの第２のスタティック駆動方法では、図１７に示した、いわゆるプッシュプル駆動法を用いないため液晶駆動信号の電位変化に伴うノイズの発生を小さく抑えることが出来ている。
【０１１２】
以下「スタティック駆動」と述べる時は図１７で示した第１のスタティック駆動方法を用いても図１８で示した第２のスタティック駆動方法を用いてもどちらでも良く、それぞれが前述した異なる効果を有する。
次にスタティック駆動を行った場合の表示例を図１９〜２３を用いて説明する。
【０１１３】
図１９は本発明による電波時計の表示部４０を説明する図で、「標準時刻信号」受信中の表示例を示している。
【０１１４】
図１９において、４４は短針、４２は長針、４６は例えば液晶表示装置からなるディジタル的な表示部で６個のディジット４８によって表示を行っている。
【０１１５】
図１９においては受信中に６個並んだディジット４８のうち左側の２つのディジットにマークを表示して受信中である旨を表示した例を示している。
【０１１６】
図２０は本発明で表示部に用いるディジット４８の構成例で、行電極であるＣＯＭに対する各セグメントの接続を示している。この例ではＣＯＭが３つあり３分割駆動出来る構成になっていることが示されている。
【０１１７】
図２１は図２０と同じく本発明で表示部に用いるディジット４８の構成例で、列電極であるＳＥＧに対する各セグメントの接続を示している。この例ではセグメントＡとセグメントＤとが２つずつあり、それぞれ同じＣＯＭ，ＳＥＧ電極に接続されていることから、実質的には１ディジットが１４セグメントで構成されている。
【０１１８】
図２２は本発明の電波時計が標準時刻信号の受信中にＬＣＤをスタティック駆動で表示するパターンの第１の例である。
【０１１９】
図２２（Ａ）〜（Ｇ）において、各図とも図１９に示した表示装置４６と同様６つのディジット４８が横方向に並んでいる。
【０１２０】
図２２（Ａ）は６つのディジットとも消灯されている例を示している。
【０１２１】
図２２（Ｂ）では６つのディジットのうち一番左の１つのディジットのみ図２０，２１に示したセグメントＨ，Ｇ，Ｑを点灯させている。
【０１２２】
図２２（Ｃ）では６つのディジットのうち左側の２つのディジットのみ図２０，２１に示したセグメントＨ，Ｇ，Ｑを点灯させている。
【０１２３】
図２２（Ｄ）では６つのディジットのうち左側の３つのディジットのみ図２０，２１に示したセグメントＨ，Ｇ，Ｑを点灯させている。
【０１２４】
同様にして  図２２（Ｅ）では左側の４つのディジットが、（Ｆ）では左側から５つのディジットが、（Ｇ）では６つの全ディジットが、図２０，２１に示したセグメントＨ，Ｇ，Ｑを点灯させている。
【０１２５】
このように図１９で示した表示部４６によって受信中であることを表示することが出来、かつ後述するように無表示とか点滅に表示内容が限定されないため、表示の自由度を大きく高めることが出来る。
【０１２６】
受信中の表示内容は図２２の例からも選ぶことが出来る。
【０１２７】
図１９に示した表示部４６は図２２（Ｃ）の表示内容を選択した例である。
【０１２８】
図２３は本発明の電波時計が標準時刻信号の受信中に表示するパターンの第２の例であ
る。
【０１２９】
図２３（Ａ）〜（Ｇ）において、各図とも図１９に示した表示装置４６と同様６つのディジット４８が横方向に並んでいる。
【０１３０】
図２３（Ａ）は６つのディジットとも消灯されている例を示している。
【０１３１】
図２３（Ｂ）では６つのディジットのうち一番左の１つのディジットのみ図２０，１４に示し６セグメントＨ，Ｇ，Ｑ、Ｊ，Ｋ，Ｌを点灯させている。
【０１３２】
図２３（Ｃ）では６つのディジットのうち左側の２つのディジットのみ図２０，１４に示したセグメントＨ，Ｇ，Ｑ、Ｊ，Ｋ，Ｌを点灯させている。
【０１３３】
図２３（Ｄ）では６つのディジットのうち左側の３つのディジットのみ図２０，１４に示したセグメントＨ，Ｇ，Ｑ、Ｊ，Ｋ，Ｌを点灯させている。
【０１３４】
同様にして  図２３（Ｅ）では左側の４つのディジットが、（Ｆ）では左側から５つのディジットが、（Ｇ）では６つの全ディジットが、図２０，１４に示したセグメントＨ，Ｇ，Ｑ、Ｊ，Ｋ，Ｌを点灯させている。
【０１３５】
このように図２２の例に変えて図２３（Ａ）〜（Ｇ）の表示例を選ぶことも可能であるし、また全く別の形を選択することも可能である。
次に実施例３における秒同期検出動作について３例を用いて説明を行う。
【０１３６】
図２４は液晶表示装置に与える液晶駆動信号の全電位を同一電位とする第２の実施例の駆動方法を説明するタイミングチャートである。
【０１３７】
０秒の単位を同期させている秒同期検出動作期間は特にノイズの発生を抑えたいため、この期間においては表示装置に与える液晶駆動信号の全電位を同一電位とすると効果がある。
【０１３８】
図２４において、「ＣＯＭ１」、「ＣＯＭ２」、「ＣＯＭ３」は本来液晶表示装置を３分割ダイナミック駆動する行電極駆動信号であるが、図２４の「ＣＯＭ１」、「ＣＯＭ２」、「ＣＯＭ３」は同一の電位Ｖ２をとり続ける信号としている。これに応じてＳＥＧ電極にも同一の電位Ｖ２を与えている。
【０１３９】
このように構成することにより、液晶駆動信号の電位変化によって生じるノイズもなくすことが出来、秒同期を安定して検出出来るという効果が生じる。
なお、秒同期検出１の動作は秒同期検出以外の受信状態に用いても有効である。
【０１４０】
図２５は本発明による電波時計の制御例を示すタイミングチャートで、表示駆動信号の電位変化タイミングを秒同期タイミング及び標準時刻情報を読み取るサンプリング信号のタイミングからずらせば時刻情報の検出が可能になる状況を概念的に示したタイミングチャートである。
【０１４１】
図２５において、液晶の駆動信号は、点灯時の列電極駆動信号である「ＳＥＧ点灯駆動信号」がＶＤＤとＶ３Ｖｕｐ２の電位をとる周期約２秒の矩形波、非点灯時の列電極駆動信号及び行電極駆動信号であるＣＯＭが電位Ｖ２に固定された信号、すなわち前述したスタティック駆動方法２となっている。
液晶の駆動方法については第１のスタティック駆動方法を用いても良いことは勿論である
。
【０１４２】
また、図２５のＨＯＬＤ信号はＨレベルの時、図３に示したＨＯＬＤ信号が出力されていることを示し、Ｈレベルの時ＡＧＣ電圧と波形判定レベルの閾値とを維持させる。
【０１４３】
このＨＯＬＤ信号は、ノイズ発生期間中はＨレベルになるよう構成している。
【０１４４】
「ＳＥＧ点灯駆動信号」の電位を変化させると図示の「ノイズ発生タイミング」でノイズが発生する。
【０１４５】
「ＨＯＬＤ」信号は発生するノイズを低減する為に「ＳＥＧ点灯駆動信号」の電位変化前後の区間をHにして電界強度設定手段の増幅率及び波形判定レベルの閾値を維持させている。
また、タイムコードの０，１、Pを判定する「受信信号取得期間」はＨＯＬＤ信号がＬの期間に行っている。
【０１４６】
秒同期位置が不明な状態の秒同期受信時においてＴ１のように秒同期位置が「受信信号取得期間」と重ならない場合、秒同期位置は検出不能になってしまう。
そこで所定時間受信して秒同期位置が検出できなかった場合には液晶駆動信号の電位を変化させるタイミングを図示のｔｄのようにずらし、Ｔ２のように受信を行うようにし、秒同期位置の検出を行なうようにする。
図２６は図２５のｔｄの長さによる秒同期位置検出不能期間の影響を概念的に示したタイミングチャートである。
図２６ａのようにｔｄが非受信信号取得期間（「ＨＯＬＤ」信号がＨの期間）よりも短い場合、前回の受信信号取得期間と液晶駆動信号の電位を変化させるタイミングをずらした後の受信信号取得期間で重ならない部分が発生するため、秒同期位置の検出不能期間が発生する。このため、２回以上液晶駆動信号の電位を変化させるタイミングをずらす必要がある。
また、図２６ｂのようにｔｄが非受信信号取得期間（「ＨＯＬＤ」信号がＨの期間）よりも長い場合、前回の受信信号取得期間と液晶駆動信号の電位を変化させるタイミングをずらした後の受信信号取得期間で重ならない部分が発生しないため、秒同期位置の検出不能期間は発生しない。
このため、液晶駆動信号の電位を変化させるタイミングをずらす行為は1回で済む。
【０１４７】
このように構成したことにより、秒同期検出に必要なタイムコードの立ち上がり又は立下り検出は図２５のＴ１，Ｔ２のどちらかで可能となり、「秒同期位置及び受信信号取得」が行えるようになった。
【０１４８】
秒同期位置が確定した後はタイムコードの認識を可能にする為に、秒同期位置に同期した位置で液晶駆動信号の電位を変化させ、タイムコードの判定が出来るようにし、標準時刻データの取得を行う。
この場合、ＳＥＧ点灯駆動信号の駆動タイミングは図１０のＴ４の期間は米国、日本、ドイツのタイムコードともに時刻データに関係なく一定しているため、この期間は時刻情報を読み取らない。したがって液晶駆動信号の電位変化タイミングをずらしてこのＴ４期間に電位を切り換えてノイズを発生させる事が望ましい。
【０１４９】
Ｔ４は秒同期タイミングからの経過時間が０．８〜１．０秒の間で表示装置の液晶駆動信号の電位を切り換えることで、液晶駆動によるノイズの影響を抑えることが出来る。
【０１５０】
なお図２５の液晶駆動信号は周期２秒で描かれているが、受信中は、ノイズが発生するタイミングを少なくするため、この程度まで液晶駆動信号の周期を落とすと更に有効である。
【０１５１】
図２７は秒同期検出前の本発明による電波時計の制御例を示すタイミングチャートである。
【０１５２】
秒同期検出は図示した「受信コード取得」期間、すなわちＴ９以外の期間、に行っている。
【０１５３】
Ｔ９の受信コード非取得期間では、点灯ＳＥＧは図に示した液晶駆動信号のようにＶＤＤとＶ３Ｖｕｐ２間の電位がかかり、全てのCOM線、点灯しないSEG線の電位はV2となっている。すなわち前述したスタティック駆動方法２を用いている。
【０１５４】
今まで秒同期は各ビット毎に検出することを前提に説明してきたが、秒同期は１分のタイムコード中のどこで検出しても良い。図２７は秒同期検出が行われる前の、秒同期検出を試みている時の、制御状況を示している。
【０１５５】
図２７において、「点灯ＳＥＧ」にはＴ９の期間ＶＤＤとＶ３Ｖｕｐ２間の電位がかかっており、全てのCOM線、点灯しないSEG線の電位は常にV2電位となっている。
【０１５６】
すなわちＴ９の期間は前述した第２のスタティック駆動方法を用いている。このＴ９の期間前述した第１のスタティック駆動方法を用いても良いことは勿論である。
また、図２５のＨＯＬＤ信号はＨレベルの時、図３に示したＨＯＬＤ信号が出力されていることを示し、Ｈレベルの時ＡＧＣ電圧と波形判定レベルの閾値とを維持させる。
【０１５７】
このＨＯＬＤ信号は、ノイズ発生期間中はＨレベルになるよう構成している。
【０１５８】
「液晶コントラスト」は液晶のコントラストの状態を示している。
【０１５９】
この制御法では液晶表示駆動信号がＴ９の期間以外休止するので、Ｔ９期間には出来得る限りコントラストをあげて表示が維持されている時間を長くする必要がある。そこでＴ９の期間はスタティック駆動方法をとすることが望ましい。
【０１６０】
このように、秒同期検出の時は特に検出がノイズの影響を受けやすいため、秒同期期間、すなわち「受信コード取得」期間、にはノイズが発生しないよう考慮する必要がある。そのため「液晶ドライバー用クロック信号」も「受信コード取得」期間には供給を停止してノイズの発生を防いでいる。
【０１６１】
「タイムコード」がＬの期間は図１０に示した日本のコード０がＨの期間、すなわち図１０に示したＴ３の期間、を示している。未だ秒同期検出前のため「タイムコード」がＬのタイミングと他のタイミングとは同期していない。
【０１６２】
Ｔ９の期間ＨＯＬＤ信号をＨにしてノイズの影響を防いではいるが、液晶の駆動によって大きなノイズが発生しているため、Ｔ９では受信コード非取得、それ以外の期間で取得としている。
【０１６３】
また図２，３に示した制御部４はＴ９の期間表示駆動回路に「液晶ドライバー用クロック信号」を供給して液晶駆動信号を作成させ、その他の期間では供給を停止してノイズの発生を防ぎ、受信コードの取得を容易ならしめている。
前述の秒同期検出１，２，３の動作を行うことにより秒同期検出は可能となる。
次に秒同期検出後の動作について説明する。
【０１６４】
図２８は秒同期検出後もしくは分同期検出後の本発明による電波時計の制御例を示すタイミングチャートである。
液晶の駆動方法は第２のスタティック駆動方法を用いているが、第１のスタティック駆動方法を用いても良いことは勿論である。
また、図２５のＨＯＬＤ信号はＨレベルの時、図３に示したＨＯＬＤ信号が出力されていることを示し、Ｈレベルの時ＡＧＣ電圧と波形判定レベルの閾値とを維持させる。
【０１６５】
このＨＯＬＤ信号は、ノイズ発生期間中はＨレベルになるよう構成している。
【０１６６】
図２８は秒同期検出後の制御状態を示しているため、
秒同期位置に同期して「点灯ＳＥＧ」駆動信号の電位を変化させることは出来、図２８では秒同期位置から０．８〜１．０秒の間で駆動信号の電位を変化させている。
ＨＯＬＤ信号は「点灯ＳＥＧ」駆動信号の電位を変化させるタイミングをはさんでＨとなって諸制御をホールドさせており、該ホールド中は受信コード非取得、それ以外の期間で取得としおり、秒同期位置から０．８秒の区間のタイムコードがサンプリングできることから受信した信号が０，１、Pの判定が出来、分同期位置の検出が可能となり、標準時刻信号の取得が可能となる。
【０１６７】
図２８において、「点灯ＳＥＧ」にはＶＤＤとＶ３Ｖｕｐ２間の電位をとる２秒周期の液晶駆動信号が印加されている。このような液晶駆動信号を作成する１つの方法は「液晶ドライバー用クロック信号」の供給及び供給停止である。図に示したように「液晶ドライバー用クロック信号」がＨレベルの時表示駆動回路にクロックを供給し、「点灯ＳＥＧ」の液晶駆動信号電位が変化するのを待ってクロック供給を停止すれば所望の２秒周期の液晶駆動信号が得られる。
次に秒同期検出後の表示内容を切り替える動作について説明する。
【０１６８】
図２９は図２５の秒同期検出後もしくは分同期検出後に表示部の表示内容を切り替えた場合の悪い例を示している。
タイムコードは日本のコードを例に示している。
液晶の駆動方法は第２のスタティック駆動方法を用いているが、第１のスタティック駆動方法を用いても良いことは勿論である。
「点灯ＳＥＧ」駆動信号の電位を変化は図２８と同様に秒同期位置から０．８〜１．０秒の間で駆動信号の電位を変化させている。
ＨＯＬＤ信号は「点灯ＳＥＧ」駆動信号の電位を変化させるタイミングをはさんでＨとなって諸制御をホールドさせており、該ホールド中は受信コード非取得、それ以外の期間で取得としおり、秒同期位置から０．８秒の区間のタイムコードがサンプリングできることから受信した信号が０，１、Pの判定が出来、分同期位置の検出が可能となり、標準時刻信号の取得が可能となるが、図２９のＴ１３８のように受信中に表示内容を切り替える場合（受信レベル、受信経過時間、受信経過状況などの表示内容を変える）、切り替えの最初と最後では液晶にかかる実行電圧レベルが低いため（Ｔ１４０、Ｔ１４２区間において点灯ＳＥＧにかかる電位変動はＶｄｄ−Ｖ３Ｖｕｐ２電位変動があるが、表示内容切り替えの最初と最後は点灯ＳＥＧにかかる電位変動はＶｄｄ−Ｖ２又はＶ２−Ｖ３Ｖｕｐ２と半分になる）、Ｔ１４０、Ｔ１４２区間の液晶コントラストより悪くなり、見栄えが好ましくない。
【０１６９】
図３０は図２５の秒同期検出後もしくは分同期検出後の本発明による電波時計の制御例を示すタイミングチャートで、表示部の表示内容を切り換えるタイミング例を示している
。
タイムコードは日本のコードを例に示している。
液晶の駆動方法は第２のスタティック駆動方法を用いているが、第１のスタティック駆動方法を用いても良いことは勿論である。
「点灯ＳＥＧ」駆動信号の電位を変化は図２８と同様に秒同期位置から０．８〜１．０秒の間で駆動信号の電位を変化させている。
ＨＯＬＤ信号は「点灯ＳＥＧ」駆動信号の電位を変化させるタイミングをはさんでＨとなって諸制御をホールドさせており、該ホールド中は受信コード非取得、それ以外の期間で取得としおり、秒同期位置から０．８秒の区間のタイムコードがサンプリングできることから受信した信号が０，１、Pの判定が出来、分同期位置の検出が可能となり、標準時刻信号の取得が可能となるが、受信中に表示内容を切り替える時、点灯から消灯する場合、図３０のＴ３８のように一定期間早い周期で「点灯ＳＥＧ」駆動信号の電位を変化させて充分な液晶コントラストを得てから消灯電位に変更しているため、図２９のように中途半端なコントラストにはならない。
また、消灯から点灯する場合も図３０のＴ３８のように一定期間早い周期で「点灯ＳＥＧ」駆動信号の電位を変化させて充分な液晶コントラスト得てから所望の電位にしているので図２９のように中途半端なコントラストにはならない。
【０１７０】
ＡＧＣ電圧と波形判定レベルの閾値との変更を禁止するＨＯＬＤ信号はＴ４０，Ｔ４２では液晶駆動信号の切り替わり目を挟んで、表示内容の切り替えタイミングであるＴ３８では全領域でＨとなり諸制御をホールドさせている。これに従って、Ｔ４０，Ｔ４２では「受信コード」を取得しているが、Ｔ３８では非取得としている。
このため、表示切り替えのタイミングは予めタイムコードが判明しているタイミング、又は時刻コードの判定には不要なタイミング（例えば、分同期位置の前後１秒のＰＰコードなど）で実施する。
【０１７１】
また２秒周期の液晶駆動信号を作成するため「液晶ドライバー用クロック信号」の供給を制御している点は前図と同様である。なおＴ３８では供給を継続している。
【０１７２】
このように表示内容の切り換えのための液晶駆動信号の電位切り換え周期はタイムコードの周期の整数倍の長さとしている。すなわち標準時刻信号の１ビット分の時間の整数倍の長さとしている。
図３１は図３０をさらに改善した例で、タイムコード１秒の中で日本、アメリカのコードにおける秒同期位置を基準に０．８ＳＥＣから１．2ＳＥＣのように０，１、Ｐの判定に不要な部分で表示の切り替えを行っている。
【０１７３】
以上説明したように本発明の電波時計は表示の液晶駆動信号によって生じるノイズの影響を軽減出来るため、受信の安定化と受信中の表示の自由度を増すことが出来、効果は大きい。
また、本発明の実施例では液晶を例にとって説明したが、本発明で説明したノイズ源は液晶などに限定されず、受信に悪影響を与えるモーターなども含む。
【図面の簡単な説明】
【０１７４】
【図１】本発明の電波時計の第１の実施例を示すタイミングチャートである。
【図２】本発明の実施例を示す第１のブロック図である。
【図３】本発明の実施例を示す第２のブロック図である。
【図４】本発明の実施例を示す第３のブロック図である。
【図５】本発明のブロック図の動作を説明する波形図である。
【図６】電界強度設定手段の実施例を示す回路図である。
【図７】本発明による電波時計の概要を説明する第１のタイミングチャートである。
【図８】本発明による電波時計の概要を説明する第２のタイミングチャートである。
【図９】本発明による電波時計の概要を説明する第３のタイミングチャートである。
【図１０】タイムコードの詳細を説明する図である。
【図１１】受信したタイムコードによって波形判定レベルの閾値とＡＧＣ信号レベルの変化を示した図である。
【図１２】本発明による電波時計のタイミングチャートである。
【図１３】図１２の部分拡大図である。
【図１４】本発明による電波時計の制御例を示すタイミングチャートである。
【図１５】図１４の部分拡大図である。
【図１６】図１４の受信信号のサンプリングタイミングを間引いたタイミングチャートである。
【図１７】液晶の第１のスタティック駆動方法を説明するタイミングチャートである。
【図１８】液晶の第２のスタティック駆動方法を説明するタイミングチャートである。
【図１９】本発明による電波時計の表示部を説明する図である。
【図２０】本発明で表示部に用いるディジットの構成例で、ＣＯＭ接続を示している。
【図２１】本発明で表示部に用いるディジットの構成例で、ＳＥＧ接続を示している。
【図２２】本発明の電波時計が標準時刻信号の受信中に表示するパターンの第１の例である。
【図２３】本発明の電波時計が標準時刻信号の受信中に表示するパターンの第２の例である。
【図２４】本発明の第２の実施例を説明するタイミングチャートである。
【図２５】本発明による電波時計の制御例を示すタイミングチャートである。
【図２６】図２５のｔｄの長さによる秒同期位置検出不能期間の影響を概念的に示したタイミングチャートである。
【図２７】本発明による電波時計の制御例を示すタイミングチャートである。
【図２８】本発明による電波時計の制御例を示すタイミングチャートである。
【図２９】図３０の実施例を用いない場合に発生する不具合例を示すタイミングチャートである。
【図３０】本発明による電波時計の制御例を示すタイミングチャートである。
【図３１】図３０をさらに改善した駆動方法例のタイミングチャートである。
【図３２】従来の電波時計の問題点を説明するブロック図である。
【図３３】各国のタイムコードを説明するタイミングチャートである。
【図３４】受信時の動作の流れを示すフローチャートである。
【符号の説明】
【０１７５】
４  制御部
２  表示駆動部
８  表示装置
６  受信部、  
１６  電界強度設定手段
２２  維持手段
１０  サンプリング手段
１２  ２倍昇圧回路
Ｔ７  標準時刻信号中の各タイムコードが一定である区間
Ｔ８  標準時刻信号中の各タイムコードが時刻データによって変動する区間
【図１】
2008215929.tif 000003
【図２】
2008215929.tif 000004
【図３】
2008215929.tif 000005
【図４】
2008215929.tif 000006
【図５】
2008215929.tif 000007
【図６】
2008215929.tif 000008
【図７】
2008215929.tif 000009
【図８】
2008215929.tif 000010
【図９】
2008215929.tif 000011
【図１０】
2008215929.tif 000012
【図１１】
2008215929.tif 000013
【図１２】
2008215929.tif 000014
【図１３】
2008215929.tif 000015
【図１４】
2008215929.tif 000016
【図１５】
2008215929.tif 000017
【図１６】
2008215929.tif 000018
【図１７】
2008215929.tif 000019
【図１８】
2008215929.tif 000020
【図１９】
2008215929.tif 000021
【図２０】
2008215929.tif 000022
【図２１】
2008215929.tif 000023
【図２２】
2008215929.tif 000024
【図２３】
2008215929.tif 000025
【図２４】
2008215929.tif 000026
【図２５】
2008215929.tif 000027
【図２６】
2008215929.tif 000028
【図２７】
2008215929.tif 000029
【図２８】
2008215929.tif 000030
【図２９】
2008215929.tif 000031
【図３０】
2008215929.tif 000032
【図３１】
2008215929.tif 000033
【図３２】
2008215929.tif 000034
【図３３】
2008215929.tif 000035
【図３４】
2008215929.tif 000036